(57)【要約】【課題】ガラス製の注射用薬液容器のアンプルベットや小箱からの取り出しの煩わしさを解消するとともに、薬液容器が割れた場合でも安全にかつ迅速に処理ができるようにする。【解決手段】複数の注射用薬液容器１を一本ずつシール材の間に挿入し、周囲を熱シールなどによって封止し連続した分包帯３を形成する。このように、一本ずつ分包２したことにより、一つの分包２を引っ張り出せば連続した分包帯３全てを取り出せるので、アンプルベットや小箱からの取り出しの煩わしさを解消できる。また、注射用薬液容器１が割れたとしても分包２によってガラス片と薬液とが飛び散らないので、安全にかつ迅速に処理ができる。【選択図】図１
2005205005.tif 000002
【特許請求の範囲】
【請求項１】
複数のガラス製の注射用薬液容器を一本ずつ分包して直列に連続した分包帯を形成し、その形成した分包帯の各分包を封止した注射用薬液容器の包装帯。
【請求項２】
上記分包帯の各分包に、収納した注射用薬液容器を保護する緩衝部材を備えた請求項１に記載の注射用薬液容器の包装帯。
【請求項３】
上記分包と分包との間に幅方向に沿ってミシン目を設けた請求項１または２に記載の注射用薬液容器の包装帯。
【請求項４】
上記各分包に、薬剤情報のバーコードを設けて供給するようにした請求項１乃至３のいずれか一つに記載の注射用薬液容器の包装帯。
【請求項５】
上記請求項４記載の分包のバーコードを入庫の際にデータベースに登録し、その登録したデータベースと監査及び返品時の分包から読み取ったバーコードとを照合し、その照合に基づいて薬剤の管理を行う注射用薬液容器の包装帯を用いた管理方法。
【発明の詳細な説明】
【技術分野】
【０００１】
この発明は、例えば、アンプルやバイヤルなどガラス製の注射用薬液容器の包装帯とその管理方法に関するものである。
【背景技術】
【０００２】
薬品メーカーから供給される注射液は、依然としてアンプルやバイヤルなどガラス製の薬液容器によるものが主流を占めており、今後もこの傾向が続くものと考えられる。
【０００３】
このようなガラス製の薬液容器は、メーカーから病院までの流通過程での破損を防ぐため、例えば、特許文献１で示される図６（ａ）のように仕切られたアンプルベットＢや図６（ｂ）のような仕切られた小箱Ｃに所定数づつ入れ、段ボールなどの梱包材に梱包して流通させている。
【０００４】
ところで、近年、調剤業務の省力化と正確さを向上するため、注射オーダシステムを採用する病院が増えつつある。
【０００５】
注射オーダシステムは、コンピュータ管理により患者ごとに発行される処方箋に基づいて、一日分の薬剤をまとめて薬局で処方するもので、処方の自動化を図るため、図７のようなアンプル払出し装置２０を導入する病院が増加している。
【０００６】
アンプル払出し装置２０は、図７に示すように、注射用薬液容器の種類や容量別に収納する複数のカセット２１を設け、そのカセット２１から注射薬剤をホストコンピュータの処方箋データに基づいて払い出すというものである。
【０００７】
従来、このような払出し装置２０の各カセット２１への注射用薬液容器の投入は人手により行っており、輸送用の段ボールなどの梱包材からアンプルベットＢや小箱Ｃを取り出し、その取り出したアンプルベットＢや小箱Ｃから注射用薬液容器を取り出して入れていた。
【０００８】
また、このようなオーダシステムを採用する病院では、処方された薬剤が患者の容体によって使われないことも多く、処方した３０％が返却（オーダのキャンセル）されている。そのため、返却された薬剤は再び人手により分別して保管し、再使用するようにしている。
【特許文献１】特開平９−１８３４３１号公報
【発明の開示】
【発明が解決しようとする課題】
【０００９】
しかしながら、上記のアンプルベットや小箱による供給方法では、仕切られたアンプルやバイヤルなどの注射用薬液容器を一本ずつ取り出さなければならならず、以外と手間がかかる。
【００１０】
また、取り出した薬液容器は割れやすく、特に、払出し装置の各カセットへの投入作業中に割れると、ガラス片と薬液とがカセット内に飛び散り、これを除去するのに手間がかかる。また、流れ出た薬液がサビの原因となる問題もある。
【００１１】
さらに、薬液容器は割れやすく返却時の薬剤の分別、保管に手間がかかる。また、割れやすいため、漏れ出た薬液などにより、ラベルが判別しにくくなり、破棄される薬剤も多々出る。
【００１２】
そこで、この発明の課題は、アンプルベットや小箱からの取り出しの煩わしさを解消するとともに、薬液容器が割れた場合でも安全、かつ迅速に処理ができるようにする。さらに、返品された薬剤の管理も簡単にできるようにすることである。
【課題を解決するための手段】
【００１３】
上記の課題を解決するため、この発明では、複数のガラス製の注射用薬液容器を一本ずつ分包して直列に連続した分包帯を形成し、その形成した分包帯の各分包を封止するという構成を採用したのである。
【００１４】
このような構成を採用することにより、注射用薬液容器を分包帯に一本ずつ分包した状態でアンプルベットや小箱に入れて供給すると、一つの分包を引っ張り出せば連続した分包帯全てを取り出すことができる。
【００１５】
また、分包ごとに分割して払出し装置で払い出すようにすると、カセットへの投入作業中に薬液容器が割れてもガラス片と薬液が飛散するのを防止できる。
【００１６】
また、このとき、上記分包帯の各分包に、収納した注射用薬液容器を保護する緩衝部材を備えた構成を採用することにより、緩衝部材によって薬液容器の破損を防止できる。
【００１７】
また、上記分包と分包との間に幅方向に沿ってミシン目を設けた構成を採用することにより、分包間に幅方向に設けたミシン目によって注射用薬液容器を封止した分包の分割が容易にできる。
【００１８】
また、上記各分包に、薬剤情報のバーコードを設けた構成を採用することにより、各分包をバーコードで管理できる。
【００１９】
さらに、上記分包のバーコードを入庫の際にデータベースに登録し、その登録したデータベースと監査及び返品時の分包から読み取ったバーコードとを照合し、その照合に基づいて薬剤の管理を行うという方法を採用することにより、バーコードをデータベースに照合して監査及び返品の管理ができるので、省力化が図れる。
【発明の効果】
【００２０】
この発明は，上記のように構成し、ガラス製の注射用薬液容器を一本ずつ分包して直列に連続した分包帯を形成し、その分包帯の各分包を封止して供給するという方法を用いたので、アンプルベットや小箱からの取り出しの煩わしさを解消するとともに、薬液容器が割れた場合でも安全にかつ迅速に処理ができる。さらに、バーコードを設けてデータベースに照合するようにすることにより、監査及び返品の管理が容易にすることができるので、省力化が図れる。
【発明を実施するための最良の形態】
【００２１】
以下、この発明の最良の形態を図面に基づいて説明する。
【実施例１】
【００２２】
図１に示すように、この発明に係る注射用薬液容器１の包装帯３は、ガラス製の注射用薬液容器１を一本ずつ分包２し、直列に連続した分包帯３とする。
【００２３】
分包方法としては、例えば図２（ａ）に示すように、注射用薬液容器１を一本ずつシール材４の間に挿入し、周囲を熱シールなどによって封止する方法や図２（ｂ）に示すように、注射用薬液容器１を嵌入するためのホルダー５を形成し、そのホルダー５の開口をシート状のシール材４で封止したものが考えられる。
【００２４】
シール材４は、この形態では２層になっており、透明な樹脂フィルム基材６の内側に透過性のある緩衝用の弾性部材７がコーティングされている。そのため、コーティングした弾性部材７によって注射用薬液容器１の破損を防止できるようになっている。
【００２５】
また、各分包２と分包２との間には、図１に示すように、幅方向に沿ってミシン目８が設けられており、このミシン目８によって分包２の分割が容易にできるようになっている。
【００２６】
さらに、この各分包２には、切り込みを設けたり、引き剥がすための持ち手部分を設けて簡単に封止した注射用薬液容器１を取り出せるようにできる。
【００２７】
なお、この形態では、分包２の方法として上記２つの方法を提示したがこれに限定されるものではなく、これ以外の方法であってもよい。
【００２８】
また、図１及び図２には、注射用薬液容器１としてアンプルを分包したものを示してあるが、バイアルなどの他の注射用薬液容器１に適用できることは明白である。
【００２９】
このように分包された注射用薬液容器１は、図３（ａ）のように、アンプルベットＢの場合は、従来と同様に寝かせれば入れることができる。また、小箱Ｃの場合は、図３（ｂ）のようにつづれ折りにして入れ、輸送用の段ボールなどの梱包材に梱包して流通させる。
【００３０】
一方、病院側では、搬入された輸送用の段ボールなどの梱包材からアンプルベットＢや小箱Ｃを取り出し、取り出したアンプルベットＢや小箱Ｃから分包されたアンプルやバイヤルなどの注射用薬液容器１を取り出す。
【００３１】
このとき、分包２を一つ引っ張り出すと、連続した分包帯３全てを取り出すことができる。そのため、アンプルベットＢや小箱Ｃからの取り出し時の煩わしさを解消できる。
【００３２】
また、取り出した分包帯３は、ミシン目８に沿って切離し、アンプル払出し装置２０のカセット２１に投入する。
【００３３】
このとき、投入される分包２の中の注射用薬液容器１は弾性部材７によって割れにくい。また、割れた場合でも分包２によって封止してあるため、ガラス片や薬液が飛び散らない。そのため、割れた注射用薬液容器１の除去作業も分包２を取り除けば簡単に行えるので、安全にかつ迅速に処理ができる。
【実施例２】
【００３４】
実施例２では、入庫時に分包の一つ一つにバーコードを設けることで、監査及び返品の管理を行う方法である。
【００３５】
そのため、ここでは、図４に示すように、ホストコンピュータ１０、入庫管理端末１１、処方監査端末１２、返品管理端末１３、医療端末１４、レセプト端末１５などをＬＡＮによって接続した管理システムにおいて、例えば、薬品メーカーが梱包材などに付与するバーコードを利用してロット管理ができるようしたものについて説明する。
【００３６】
すなわち、このバーコードは薬品名のコード番号を表示しており、このコード番号をホストコンピュータ１０の在庫管理のデータベースに登録しておくことにより、このコード番号を鍵として管理ができるようにする。
【００３７】
例えば、入庫時に入庫管理端末１１のバーコードリーダ１６で、梱包外箱のバーコードを読み取ると、読み取られたコード番号でホストコンピュータ１０の在庫管理のデータベースを検索し、入庫管理端末１１に在庫数が表示されるようにする。このとき、登録されていない新規購入品の場合は、薬品名を登録する。
【００３８】
在庫数が表示されると、入庫するロット番号、使用期限、規格を入力し、梱包外箱のバーコードと同じ例えば、バーコードシール１７を入庫数分作成する。このシール１７は、図５に示すように、各分包２に張りつける。シール１７の張りつけられた分包２は、直接アンプル払出し装置に投入するか、一旦薬品棚などへ保管する。
【００３９】
医療端末１４で処方箋が発行されると、発行される処方箋には、患者のＩＤとなるバーコードを印字するようにしておく。また、同時にレセプト処理もできるようにする。
【００４０】
薬剤師は、処方箋に従ってアンプル払出し装置２０などを用いて処方された注射用薬液を揃える。
【００４１】
このとき、各分包２にバーコードを設けたことにより、各分包のバーコードを読み取れば、監査が簡単にできる。
【００４２】
例えば、分包２のバーコードを読み取れば、処方箋に基づいて収集した注射用薬液が分かるので、これを処方監査端末１３で処方箋と比較すれば、一々薬剤名を読み取らなくとも簡単に監査ができる。
【００４３】
このように監査ができると、注射用薬液は各病棟に送られ患者に投与される。
【００４４】
その際、患者の容体の変化などで予定していた投与が行われなかった場合は、薬局に返品される。
【００４５】
このとき、返品された分包２のバーコードを返品管理端末１３で読み込んで、読み込んだバーコードからデータベースを検索すれば、返品された薬剤が簡単に分かる。
【００４６】
そのため、この返品情報で在庫管理を行えば、ロットの管理が行える。
【００４７】
さらに、返品された処方箋から患者のＩＤを読み込めば、使わなかった薬剤がわかるので、レセプトの修正も行える。
【００４８】
このように各分包にバーコードを設けることにより、薬剤名を一々人手で読んで、管理を行わなくとも監査及び返品管理が容易に行えるので、省力化にとって大きな効果が期待できる。
【００４９】
このとき、薬液容器が流通中に割れた場合でも分包２によって封止してあるため、薬液が漏れてバーコードが判別不能となることはなく、破棄される薬剤も少なくできる。
【００５０】
なお、この形態では、分包２にバーコードを設ける方法としてバーコードシール１７を張りつける方法を用いたが、これに限定されるものではない。例えば、各分包２に直接バーコードを印字するようにしてもよい。
【図面の簡単な説明】
【００５１】
【図１】実施例１の正面図
【図２】（ａ）実施例１の断面図、（ｂ）実施例１の他の態様を示す断面図
【図３】（ａ）実施例１の作用説明図、（ｂ）実施例１の作用説明図
【図４】実施例２のブロック図
【図５】実施例２の正面図
【図６】（ａ）従来例の斜視図、（ｂ）従来例の斜視図
【図７】アンプル払出し装置の斜視図
【符号の説明】
【００５２】
１    注射用薬液容器
２    分包
３    分包帯
４    シール材
５    ホルダー
６    フィルム基材
７    弾性部材
８    ミシン目
１７  バーコードシール
【図１】
2005205005.tif 000003
【図２】
2005205005.tif 000004
【図３】
2005205005.tif 000005
【図４】
2005205005.tif 000006
【図５】
2005205005.tif 000007
【図６】
2005205005.tif 000008
【図７】
2005205005.tif 000009